(57)【要約】【課題】スピーカからの音を効率よく、かつ左右のバランスよく使用者に伝達することの出来る音発生機能付き便座装置を提供することを目的とする。【解決手段】音発生機能付き便座装置において、音を発生するスピーカを、便座装置の後方に位置する壁向きに０°以上の角度をもって上斜め方向に傾斜させて配置することで、スピーカから発生された音が、一般的にケースカバーの背面から数センチ以内の距離に位置するトイレ後ろ壁に反射し、効率よく使用者の耳へ到達するようにした。【選択図】　図１
2004113388.tif 000002
【特許請求の範囲】
【請求項１】
音を発生させるためのスピーカと、機能部品を覆うケースカバーを有する便座装置において、該スピーカを該便座装置の後方に位置する壁向きに０°以上の角度をもって上斜め方向に傾斜させて配置したことを特徴とする音発生機能付き便座装置。
【請求項２】
該スピーカを左右一対に配置したことを特徴とする請求項１記載の音発生機能付き便座装置。
【請求項３】
該スピーカから発生される音をトイレ内に拡散させるために該ケースカバーに音発生用貫通穴が開けられており、その穴の開口端の周上または穴の上方に位置する該ケースカバー上に凸部位を設けたことを特徴とする請求項１乃至２記載の音発生機能付き便座装置。
【発明の詳細な説明】
【０００１】
【発明の属する技術分野】
本発明は、音声、音楽または便器洗浄擬音を発生させるためのスピーカを備えた便座装置に関するものである。
【０００２】
【従来の技術】
従来、この種のスピーカを備えた便座装置は、図８に示すようなもの（非特許文献１参照）が存在し、便座上に座る使用者に対して、音発生用貫通穴６から音声、音楽または便座洗浄擬音等を提供していた。
【０００３】
【非特許文献１】
株式会社ＩＮＡＸ製シャワートイレ５８２０タイプ取扱説明書Ｐ１、２、２２
【０００４】
【発明が解決しようとする課題】
しかし、上記の従来の便座装置では、図９に示すようにスピーカが対向している横壁１６付近に植物１４やタオル１５等音を吸収しやすい物体が存在する場合や、図１０に示すように横壁１６が便座装置本体からかなり離れた位置に存在する場合は、発生された音のごくわずかしか使用者１０の耳に届けることが出来ないという問題が予想される。また、使用者１０の左側に位置するスピーカ１１と右側に位置するスピーカ１１のそれぞれから対向する横壁１６を反射して使用者１０の耳に到達するまでの距離が完全に同一であることは稀であり、使用者１０が感じる音は左右のバランスが崩れてしまうという問題が予想される。
【０００５】
そこで本発明では、音を発生するスピーカを便座装置の後方に位置する壁向きに０°以上の角度をもって上斜め方向に傾斜させて配置することによって、スピーカからの音を効率よくかつ左右のバランスよく使用者に伝達することの出来る便座装置を提供することを目的とする。
【０００６】
【課題を解決するための手段および作用および効果】
請求項１記載の発明における便座装置においては、音を発生させるためのスピーカと、機能部品を覆うケースカバーを有する便座装置において、該スピーカを該便座装置の後方に位置する壁向きに０°以上の角度をもって上斜め方向に傾斜させて配置したことを特徴とする。これにより、スピーカから発生された音は、一般的にケースカバーの背面から数センチ以内の距離に位置するトイレ後ろ壁に反射し、効率よく使用者の耳へ到達することが出来る。
【０００７】
請求項２記載の発明における便座装置においては、音を発生させるためのスピーカと、機能部品を覆うケースカバーを有する便座装置において、音を発生するスピーカを左右一対に配置したことを特徴とする。これにより、使用者はステレオで音声、音楽または便器洗浄擬音等を利用することが出来る。
【０００８】
請求項３記載の発明における便座装置においては、音を発生させるためのスピーカと、機能部品を覆うケースカバーを有する便座装置において、該スピーカから発生される音をトイレ内に拡散させるために該ケースカバーに音発生用貫通穴が開けられており、その穴の開口端の周上または穴の上方に位置する該ケースカバー上に凸部位を設けたことを特徴とする。これにより、上方よりケースカバーを伝ってくる水が、穴を通じて水に弱い便座装置内部へ侵入することを防止することが出来る。
【０００９】
【発明の実施の形態】
以下に本発明の具体的な実施例を、図１乃至図７に基づいて詳細に説明する。
【００１０】
図１のような便座装置において、便座装置製品背面８の左右２箇所それぞれに音発生用貫通穴６が複数設けられており、その穴より音が出る。音が発生するシステムは図２の通りであり、リモコンからの信号を受けたリモコン受光部や人体の接近を感知する人体センサや着座している人体を感知する着座センサや本体操作部からの信号を受けたコントローラからの指示をもとにして音発生装置が音声、音楽または便器洗浄擬似音等をスピーカから発生させる。
実際の使い方としては、用便後に使用者が立ち上がると着座センサが使用者の離座を検知し、それをきっかけとして「今から３秒後に自動的に便器洗浄を行います」といった音声が流れたり、便座装置に人が近付くと予め設定しておいた音楽が自動的に流れたり、リモコンの特定のスイッチを押すと便器洗浄擬似音が流れたりといった状況が考えられる。
【００１１】
便座装置はトイレ内に図３、図４に示すように設置されるが、ここで便座装置背面８とその背面に面したトイレの後ろ壁９は、一般的に数センチしかあいておらず、背面から発せられた音は直ぐにトイレの後ろ壁に反射して使用者の耳に背後から到達する。なお、便座装置本体内に設置されたスピーカ１１は後ろ壁向きに０°以上の角度をもって上斜め方向に傾斜させて配置されており、かつ便座装置本体背面８は上に向かって後ろ壁との距離が広がっていくような上窄まりな形状をしているため、音が発生する部分が後ろ壁９によって完全に塞がれてしまうことは無く、使用者１０に対して効率よく音を届けることが出来る。
なお、使用者１０が容易に目視出来ない位置に音の発生源が存在しているため、トイレ全体の美観を損なうことなく音を感じることが出来るし、音の発生源に対して水をかける、指でつつく等のいたずらを受けることが少なくて済むと考えられる。
また、スピーカ１１は左右２箇所に設置されているため、使用者１０に対して音声、音楽または便器洗浄擬似音をステレオ音で提供することが出来、その際、スピーカ１１から壁を反射して使用者の耳に到達するまでの距離が左右でほとんど変わることが無いため、左右のバランスが良い状態で聞くことが出来る。
【００１２】
図５は便座装置背面の音を出すための音発生用貫通穴部を拡大した図である。音発生用貫通穴６を通じて内部にはスピーカやその他の水に弱い電気部品等が多数存在しているため、音発生用貫通穴６からの水侵入は極力避ける必要があるが、音発生用貫通穴６の外周には図６の断面図に示すように突起１３が設けられており、上方からケースカバー２の外表面を伝って落ちてきた水は音発生用貫通穴から内部へ入ることなく図５に示すように脇へ流れ処理される（１２）。これは人間の体で言うところの睫毛や眉毛の働きをするものであり、その突起１３の高さはごくわずかでも効果がある。
なお、突起１３は図７の断面図に示すように音発生用貫通穴６の開口端から離れた上方に存在しても構わない。
【図面の簡単な説明】
【図１】本発明の実施例における音発生機能付き便座装置を示す図である。
【図２】本発明の実施例における音が発生するシステム図である。
【図３】本発明の実施例における音発生機能付き便座装置のトイレ内での設置状況を示す上面図である。
【図４】本発明の実施例における音発生機能付き便座装置のトイレ内での設置状況を示す側面図である。
【図５】本発明の実施例における音発生機能付き便座装置の背面に位置する音を出すための音発生用貫通穴部の拡大図である。
【図６】本発明の実施例における音発生機能付き便座装置の背面に位置する音を出すための音発生用貫通穴部の１つ目の断面図である。
【図７】本発明の実施例における音発生機能付き便座装置の背面に位置する音を出すための音発生用貫通穴部の２つ目の断面図である。
【図８】従来の音発生機能付き便座装置を示す図である。
【図９】従来の音発生機能付き便座装置のトイレ内での設置状況を示す１つ目の上面図である。
【図１０】従来の音発生機能付き便座装置のトイレ内での設置状況を示す２つ目の上面図である。
【符号の説明】
１…便座装置、２…ケースカバー、３…便座、４…便ふた、５…便器、
６…音発生用貫通穴、７…トイレ、８…便座装置背面、９…後ろ壁、
１０…使用者、１１…スピーカ、１２…水の流れ、１３…突起
１４…植物、１５…タオル、１６…横壁、
１７…音声、音楽または便器洗浄擬音
【図１】
2004113388.tif 000003
【図２】
2004113388.tif 000004
【図３】
2004113388.tif 000005
【図４】
2004113388.tif 000006
【図５】
2004113388.tif 000007
【図６】
2004113388.tif 000008
【図７】
2004113388.tif 000009
【図８】
2004113388.tif 000010
【図９】
2004113388.tif 000011
【図１０】
2004113388.tif 000012